(57)【特許請求の範囲】
【請求項１】
駆動源により駆動されて、遊技盤の前面に沿って第１主動位置と第２主動位置との間を移動する主動部材と、
前記主動部材と一体になって第１従動位置と第２従動位置との間を移動する従動部材と、を備えた遊技機であって、
前記従動部材は、前記第２従動位置に向かって付勢されていると共に、前記第１主動位置と前記第２主動位置の間の中間位置に配置された前記主動部材を前側から視認可能に覆う前側重なり部を有し、
前記従動部材に、前記前側重なり部の後側に配置されて前記主動部材に前記第１主動位置側から突き合わされる従動当接部を設けて、
前記主動部材が前記第１主動位置へ移動するときに前記従動当接部と当接することで、前記主動部材が前記従動部材を前記第１従動位置へ移動させるように構成し、
前記主動部材の移動方向と同じ方向に移動可能な１対の可動部を前後方向にずらして配置すると共に前記１対の可動部を伸縮自在な連絡部材にて連絡し、前記１対の可動部が前後に重ねられた合体状態と、前記１対の可動部が前記主動部材の移動方向に分離して前記１対の可動部の間に前記連絡部材が差し渡された分離状態とに変化する可動部材を有し、
前記１対の可動部のうち前側に配置される前側可動部と前記連絡部材とを、前記主動部材より前側に配置して、前記分離状態における前記連絡部材にて前記中間位置の前記主動部材を前側から覆う前記前側重なり部を構成すると共に、
前記１対の可動部のうち後側に配置される後側可動部を、前記主動部材に対して前記第１主動位置側に配置して、前記後側可動部に、前記主動部材と当接可能な後側当接部を形成し、
前記分離状態の前記可動部材における前記後側可動部及び前記連絡部材にて前記従動部材を構成すると共に、前記後側当接部にて前記従動当接部を構成したことを特徴とする遊技機。
【請求項２】
前記主動部材と前記従動当接部との互いの当接部分の少なくとも一方には、前記第１主動位置側へ向かうにつれて後側へ向かうように傾斜した傾斜当接面が形成されていることを特徴とする請求項１に記載の遊技機。
【請求項３】
前記中間位置に配置された前記主動部材の後側への移動を規制する後方移動規制部材を備えたことを特徴とする請求項１又は２に記載の遊技機。
【請求項４】
前記主動部材を、ベース部の全体を装飾部にて前側から覆った構造としたことを特徴とする請求項１乃至３のうち何れか１の請求項に記載の遊技機。
【請求項５】
前記装飾部は、前記ベース部に回転可能に支持されたことを特徴とする請求項４に記載の遊技機。
【発明の詳細な説明】
【技術分野】
【０００１】
本発明は、２つの可動部材が一体になって移動する遊技機に関する。
【背景技術】
【０００２】
従来、この種の遊技機として、上下に離れて配置された２つの可動部材が接近して一体となるものが知られている（例えば、特許文献１参照）。
【先行技術文献】
【特許文献】
【０００３】
【特許文献１】特開２０１３−６３１４３号公報（段落［００９７］、図５１（ｂ）、図５２）
【発明の概要】
【発明が解決しようとする課題】
【０００４】
しかしながら、上述した従来の遊技機では、２つの可動部材が一体となるだけでそれ以上の動作が行われないため、それら２つの可動部材の動作が単調で趣向性に欠けるという問題があった。
【０００５】
本発明は、上記事情に鑑みてなされたもので、一体となる２つの部材の趣向性を向上させることが可能な遊技機の提供を目的とする。
【課題を解決するための手段】
【０００６】
上記目的を達成するためになされた請求項１の発明は、駆動源により駆動されて、遊技盤の前面に沿って第１主動位置と第２主動位置との間を移動する主動部材と、前記主動部材と一体になって第１従動位置と第２従動位置との間を移動する従動部材と、を備えた遊技機であって、前記従動部材は、前記第２従動位置に向かって付勢されていると共に、前記第１主動位置と前記第２主動位置の間の中間位置に配置された前記主動部材を前側から視認可能に覆う前側重なり部を有し、前記従動部材に、前記前側重なり部の後側に配置されて前記主動部材に前記第１主動位置側から突き合わされる従動当接部を設けて、前記主動部材が前記第１主動位置へ移動するときに前記従動当接部と当接することで、前記主動部材が前記従動部材を前記第１従動位置へ移動させるように構成し、前記主動部材の移動方向と同じ方向に移動可能な１対の可動部を前後方向にずらして配置すると共に前記１対の可動部を伸縮自在な連絡部材にて連絡し、前記１対の可動部が前後に重ねられた合体状態と、前記１対の可動部が前記主動部材の移動方向に分離して前記１対の可動部の間に前記連絡部材が差し渡された分離状態とに変化する可動部材を有し、前記１対の可動部のうち前側に配置される前側可動部と前記連絡部材とを、前記主動部材より前側に配置して、前記分離状態における前記連絡部材にて前記中間位置の前記主動部材を前側から覆う前記前側重なり部を構成すると共に、前記１対の可動部のうち後側に配置される後側可動部を、前記主動部材に対して前記第１主動位置側に配置して、前記後側可動部に、前記主動部材と当接可能な後側当接部を形成し、前記分離状態の前記可動部材における前記後側可動部及び前記連絡部材にて前記従動部材を構成すると共に、前記後側当接部にて前記従動当接部を構成したことを特徴とする遊技機。
【０００７】
請求項２の発明は、前記主動部材と前記従動当接部との互いの当接部分の少なくとも一方には、前記第１主動位置側へ向かうにつれて後側へ向かうように傾斜した傾斜当接面が形成されていることを特徴とする請求項１に記載の遊技機である。
【０００８】
請求項３の発明は、前記中間位置に配置された前記主動部材の後側への移動を規制する後方移動規制部材を備えたことを特徴とする請求項１又は２に記載の遊技機である。
【０００９】
請求項４の発明は、前記主動部材を、ベース部の全体を装飾部にて前側から覆った構造としたことを特徴とする請求項１乃至３のうち何れか１の請求項に記載の遊技機である。
【００１０】
請求項５の発明は、前記装飾部は、前記ベース部に回転可能に支持されたことを特徴とする請求項４に記載の遊技機である。
【発明の効果】
【００１２】
［請求項１の発明］
本発明では、主動部材が第２主動位置から第１主動位置へ移動する場合、第１主動位置と第２主動位置の間の中間位置で主動部材が従動部材の従動当接部と当接し、中間位置より第１主動位置側で、主動部材が従動部材と一体に移動する。一方、主動部材が第１主動位置から第２主動位置へ移動する場合、中間位置より第１主動位置側では、付勢された従動部材が主動部材と一体に移動し、中間位置より第２主動位置側では、主動部材が従動部材から分離して移動する。このように、本発明によれば、主動部材と従動部材が一体となるだけでなく、それら２つの部材が一体となった状態で移動するので、２つの部材が一体となるだけの従来の遊技機と比較して、一体となる２つの部材の趣向性を向上させることが可能となる。また、本発明では、主動部材が第２主動位置から第１主動位置へ移動すると、分離状態となった可動部材の後側可動部と主動部材のベース部とが当接し、主動部材と後側可動部とが一体になって移動する。このとき、前側可動部と後側可動部とを連絡する連絡部材が第１従動位置側へ引き伸ばされる。本発明の構成によれば、主動部材の動きによって連絡部材及び後側可動部が前側可動部に対して第１従動位置側に引っ張られるような印象を遊技者に付与することが可能となり、主動部材と可動部材の動作について趣向性の向上を図ることが可能となる。
【００１３】
［請求項２の発明］
本発明によれば、主動部材が従動当接部と当接したときに、傾斜当接面によって主動部材を後側に移動させることが可能となるので、主動部材と従動当接部との当接が外れることが抑制可能となる。
【００１４】
［請求項３の発明］
本発明によれば、後方移動規制部材によって主動部材の後側への移動が規制されるので、主動部材と従動当接部が前後にずれることが抑えられ、主動部材と従動当接部とを当接させ易くすることが可能となる。
【００１５】
［請求項４の発明］
本発明によれば、従動部材が、中間位置に配置され主動部材を前側から視認可能に覆う前側重なり部を備えると共に、主動部材が、従動部材と当接するベース部の全体が装飾部にて前側から覆われた構造となるので、主動部材と従動部材が一体になって移動する様子を遊技者に視認容易としつつ、それら２つの部材の当接部分を目立ち難くすることが可能となる。
【００１６】
［請求項５の発明］
本発明によれば、主動部材と従動部材の当接部分に影響を与えることなく、主動部材の動作の趣向性を向上させることが可能となる。
【図面の簡単な説明】
【００１８】
【図１】本発明の一実施形態に係る遊技機の正面図
【図２】遊技盤の正面図
【図３】機構枠の正面図
【図４】通常状態の第１可動役物装置の正面図
【図５】通常状態の第１可動役物装置の前方斜視図
【図６】通常状態の第１可動役物装置の後方斜視図
【図７】落下状態の第１可動役物装置の正面図
【図８】落下状態の第１可動役物装置の前方斜視図
【図９】第２可動部材が退避位置に配置されたときの第２可動役物装置の正面図
【図１０】第２可動部材が演出位置に配置されたときの第２可動役物装置の正面図
【図１１】（Ａ）第２可動部材が退避位置に配置されたときの第２可動役物装置の背面図、（Ｂ）第２可動部材が演出位置へ向かう途中の第２可動役物装置の背面図
【図１２】収縮状態の第２可動部材の（Ａ）正面図、（Ｂ）Ａ−Ａ断面図
【図１３】拡張状態の第２可動部材の（Ａ）正面図、（Ｂ）Ｂ−Ｂ断面図
【図１４】収縮状態の第２可動部材を模式的に示す図
【図１５】拡張状態の第２可動部材を模式的に示す図
【図１６】直動ガイドの（Ａ）平面図、（Ｂ）Ｃ−Ｃ断面図
【図１７】第２可動部材が第１中間位置に配置されたときの第１可動役物装置及び第２可動役物装置の正面図
【図１８】第２可動部材が拡張状態になったときの第１可動役物装置及び第２可動役物装置の正面図
【図１９】第２可動部材が第２中間位置に配置されたときの第１可動役物装置及び第２可動役物装置の正面図
【図２０】第２可動部材が演出位置に配置されたときの第１可動役物装置及び第２可動役物装置の正面図
【図２１】第２可動部材が退避位置に配置されたときの第１可動部材及び第２可動部材の側面図
【図２２】第２可動部材が第１可動部材の後側を通過するときの第１可動部材及び第２可動部材の側面図
【図２３】第２可動部材が第２中間位置に配置されたときの第１可動部材及び第２可動部材の側面図
【図２４】（Ａ）図２３における後方突部周辺の拡大図、（Ｂ）第２可動部材が演出位置に配置されたときの後方突部周辺の側面図
【図２５】変形例に係る第２可動部材が第２中間位置に配置されたときの第１可動部材及び第２可動部材の側面図
【発明を実施するための形態】
【００１９】
以下、本発明をパチンコ遊技機に適用した一実施形態を、図１〜図２４に基づいて説明する。図１に示すように、本実施形態の遊技機１０は、前面枠１０Ｚを前面に備え、その前面枠１０Ｚに形成されたガラス窓１０Ｗを通して、図２に示す遊技盤１１の前面に形成された遊技領域Ｒ１が視認可能になっている。遊技盤１１の後側には、図３に示す機構枠１７が取り付けられ、その機構枠１７には種々の装置が取り付けられている。
【００２０】
図１に示すように、前面枠１０Ｚのうちガラス窓１０Ｗより下方には、上皿２６と下皿２７が上下２段にして設けられ、下皿２７の右側には、操作ハンドル２８が備えられている。そして、操作ハンドル２８を回動操作すると、上皿２６に収容された遊技球が遊技領域Ｒ１に向けて弾き出される。
【００２１】
図２に示すように、遊技盤１１の前面からは、遊技領域Ｒ１を包囲するガイドレール１２が突出している。ガイドレール１２は、遊技盤１１の外縁部を周回するように配置され、ガイドレール１２の下端部には、下方に膨むように湾曲し、流下する遊技球を受け止めて遊技領域Ｒ１の中央へと案内可能な湾曲ガイド部１２Ｇが備えられている。
【００２２】
遊技盤１１のうち遊技領域Ｒ１の中央には、表示開口１１Ｈが貫通形成されており、その表示開口１１Ｈに遊技盤１１の裏面側から表示装置１３が対向している。表示装置１３は、例えば、液晶モジュールで構成され、その前面が遊技に関する演出を行う表示画面１３Ｇとなっている。なお、詳細には、表示画面１３Ｇは、機構枠１７（図３参照）の開口部１７Ｋと遊技盤１１の表示開口１１Ｈを通して遊技者に視認可能となっている。
【００２３】
遊技盤１１の前面中央には、表示画面１３Ｇを囲むように表示装飾枠２３が取り付けられている。表示装飾枠２３は、遊技盤１１の前面側から表示開口１１Ｈに嵌め込まれて、表示開口１１Ｈの内側に張り出すと共に、遊技盤１１の前面から突出している。そして、遊技領域Ｒ１を流下する遊技球が、表示装飾枠２３の前側を通過して表示装飾枠２３の内側に進入しないように構成されている。
【００２４】
表示装飾枠２３の右側には、始動ゲート１８が設けられている。また、表示装飾枠２３の右下には、大入賞口１５と複数のサイド入賞口２１が設けられている。なお、複数のサイド入賞口２１は、始動ゲート１８の下方且つ大入賞口１５の右側に配置されている。
【００２５】
表示装飾枠２３の横方向中央の下方には、第１の始動入賞口１４Ａと第２の始動入賞口１４Ｂとが上下２段に並べて配置され、それら始動入賞口１４Ａ，１４Ｂの左側には、ガイドレール１２の湾曲ガイド部１２Ｇに沿って一般入賞口２０が複数設けられている。
【００２６】
遊技領域Ｒ１には、各入賞口１４Ａ，１４Ｂ，１５，２０，２１とは別に、特典（賞球）を付与することなく遊技領域Ｒ１の外側に排出するためのアウト口１６が設けられている。また、遊技領域Ｒ１には、遊技球の流下方向をランダムに変更するための障害釘が多数植設されている。なお、詳細には、本実施形態では、アウト口１６として、遊技領域Ｒ１の下端部中央に配置された中央アウト口１６Ａと、左側一般入賞口２０の左側に配置されたサイドアウト口１６Ｂの２種類が設けられている。
【００２７】
次に、遊技領域Ｒ１の各部位についてさらに詳説する。一般入賞口２０及びサイド入賞口２１は、所謂、ポケット構造をなし、遊技球が１つずつ入ることが可能な大きさで上方に開口している。一般入賞口２０又はサイド入賞口２１へ入球（入賞）すると、その遊技球は遊技盤１１の裏側に取り込まれ、例えば、１個の入球につき１０個の賞球が上皿２６に払い出される。
【００２８】
始動ゲート１８は、遊技球が潜って通過可能な門形構造をなしている。始動ゲート１８を遊技球が通過すると、普通図柄の当否判定が行われる。
【００２９】
第１の始動入賞口１４Ａは、ポケット構造をなして遊技球が１つずつ入球可能な大きさで上方に開口している。第２の始動入賞口１４Ｂは、遊技球が１つずつ入球可能な大きさで前方に開口し、回動扉１４Ｔによって開閉される。回動扉１４Ｔは、通常は、閉状態となっていて、上述した普通図柄の当否判定が当りになると、開状態となる。第１と第２の始動入賞口１４Ａ，１４Ｂに遊技球が入球（入賞）すると、例えば、１個の入球につき４個の賞球が上皿２６に払い出されると共に、特別図柄の当否判定が行われる。そして、特別図柄の当否判定が当りになると、通常の遊技状態から大当り遊技状態へ移行し、大当り遊技が実行される。
【００３０】
大入賞口１５は、横長矩形状をなし、通常の遊技状態では、可動扉１５Ｔにて閉塞されている。そして、遊技状態が大当り遊技状態となって大当り遊技が実行されると、可動扉１５Ｔが所定期間に亘って前側に倒される。すると、大入賞口１５が前方に開放し、可動扉１５Ｔを案内にして大入賞口１５に多くの遊技球が入賞可能となる。大入賞口１５に遊技球が入賞すると、例えば、１個の入賞につき１５個の遊技球が上皿２６に払い出される。
【００３１】
なお、各入賞口１４Ａ，１４Ｂ，１５，２０，２１及びアウト口１６に取り込まれた遊技球は、球排出ダクト８０（図３参照）を介して遊技機１０の外部に排出され、図示しない球回収装置に回収される。
【００３２】
図３に示すように、本実施形態の遊技機１０は、上述した入賞口１４Ａ，１４Ｂ，１５・・や表示装置１３等のほかに、可動部材の動作により遊技に関する演出を行う２つの可動役物装置を機構枠１７に固定して備えている。２つの可動役物装置のうち一方の第１可動役物装置１１０Ｓは、第１可動部材１１０（本発明の「可動部材」に相当する。）を図４に示す通常状態と図７に示す落下状態とに変化させる。第１可動部材１１０は、通常状態では表示画面１３Ｇの上部前方に寄せて配置され、落下状態では表示画面１３Ｇの全体を前側から覆うように配置される。また、２つの可動役物装置のうち他方の第２可動役物装置２１０Ｓは、遊技盤１１の前面と平行な基準面に沿って第２可動部材２１０（本発明の「装飾部」に相当する。）を図９に示す退避位置と図１０に示す演出位置との間で移動させる。退避位置の第２可動部材２１０は表示画面１３Ｇの外側に配置され、演出位置の第２可動部材２１０は表示画面１３Ｇの中央寄り部分の前方に配置される。以下、第１可動役物装置１１０Ｓ及び第２可動役物装置２１０Ｓについて詳説する。
【００３３】
図４に示すように、第１可動役物装置１１０Ｓは、上下方向に直線状に延びた１対の昇降ガイド１３２，１３２を間隔をあけて横並びにして備え、それら１対の昇降ガイド部材１３２，１３２の間に第１可動部材１１０を差し渡した構造になっている。なお、１対の昇降ガイド部材１３２，１３２は、表示画面１３Ｇを左右方向に挟むように機構枠１７（図３参照）の左右の辺部に固定され、遊技盤１１及び表示装飾枠２３（図２参照）の後側に隠れるように配置されている。
【００３４】
図４及び図５に示すように、１対の昇降ガイド部材１３２，１３２のうち一方の昇降ガイド部材１３２には、第１可動部材１１０を上下動させるための昇降機構１３０が備えられている。本実施形態の例では、昇降機構１３０は、ボール螺子機構によって構成されていて、昇降ガイド部材１３２内で上下方向に延在するボール螺子１３３と、ボール螺子１３３と螺合した図示しないボールナットと、ボール螺子１３３を回転駆動する昇降用モータ１３４と、を備えている。
【００３５】
なお、詳細には、図６に示すように、昇降ガイド部材１３２には、第１可動部材１１０が通常状態のときに、第１可動部材１１０の下方への移動を許容する落下許容位置と、第１可動部材１１０の下方への移動を禁止する落下禁止位置と、に配置される落下用ストッパ１３９が備えられていて、落下用ストッパ１３９が落下禁止位置に配置されているときには、上述のボールナットがボール螺子１３３の下端寄り位置に配置される。そして、落下用ストッパ１３９が落下許容位置に配置されることにより、第１可動部材１１０が自重により落下する。
【００３６】
図６及び図７に示すように、第１可動部材１１０は、前後方向にずれて配置された前側落下部材１１１と後側落下部材１２１とがシート状の網体１４１を介して連絡された構造になっていて、通常状態では、前側落下部材１１１と後側落下部材１２１とは、前後に重ねられた合体状態となっていて、表示画面１３Ｇの上部前方に配置されている。なお、本実施形態では、前側落下部材１１１、後側落下部材１２１、網体１４１が、それぞれ本発明の「前側可動部」、「後側可動部」、「連絡部材」に相当する。
【００３７】
図６及び図８に示すように、前側落下部材１１１は、上方から見た形状が後側に開放したコの字状のフレーム部１１２と、フレーム部１１２の前面に固定された装飾プレート１１３と、を備え、フレーム部１１２のうち左右方向で対向する１対の支持対向壁１１２Ｔ，１１２Ｔ（図６及び図８には、一方の支持対向壁１１２Ｔのみが示されている。）が、昇降ガイド部材１３２，１３２に上下動可能に支持されている。１対の支持対向壁１１２Ｔ，１１２Ｔのうち一方の支持対向壁１１２Ｔには、昇降ガイド１３２に取り付けられた前側スライドレール１３５（図４参照）を上下動するスライダ１３６が固定されていて、そのスライダ１３６が、上述したボール螺子１３３（図５参照）と螺合する図示しないボールナットによって下方から受け止められている。
【００３８】
図６に示すように、後側落下部材１２１は、前後方向で対向した前面壁１２１Ａ及び後面壁１２１Ｂ（本発明の「従動当接部」に相当する。）の上端部同士が天井壁１２１Ｃで連絡された構造になっていて、前面壁１２１Ａと後面壁１２１Ｂの側部が１対の昇降ガイド部材１３２，１３２に上下動可能に支持されている。詳細には、前面壁１２１Ａは後面壁１２１Ｂよりも横長に形成されていて、後面壁１２１Ｂは、前面壁１２１Ａの横方向の一端部（図６では左側の端部）に重ねて配置されている。そして、後面壁１２１Ｂの横方向の一端部と前面壁１２１Ａの横方向の他端部とがそれぞれ、昇降ガイド部材１３２，１３２に上下動可能に支持されている。
【００３９】
後側落下部材１２１は、昇降ガイド部材１３２に対し上下動自在に構成されていて、通常は、前側落下部材１１１により落下が防止されている。具体的には、図８に示すように、前側落下部材１１１の支持対向壁１１２Ｔの上端部には、後側落下部材１２１の前面壁１２１Ａに下方から当接可能な当接部１１５が設けられていて、前側落下部材１１１の当接部１１５が後側落下部材１２１の前面壁１２１Ａを下方から受け止めることで、後側落下部材１２１の落下が防止されている。
【００４０】
また、後側落下部材１２１は、前側落下部材１１１が下方へ移動したときに、昇降ガイド部材１３２に備えられた受止ストッパ１３７（図６参照）によって落下が防止される。具体的には、後側落下部材１２１の後壁１２１Ｂの側部は、昇降ガイド部材１３２に後側から重ねられ、昇降ガイド部材１３２の後面に形成された後側スライドレール１３８に支持されている。受止ストッパ１３７は、昇降ガイド部材１３２の後面から突出し、後側落下部材１２１の後壁１２１Ｂに下方から当接する。
【００４１】
このように、本実施形態では、後側落下部材１２１の可動ストロークは、前側落下部材１１１の可動ストロークよりも小さくなっている。ここで、前側落下部材１１１の可動ストロークの上端及び下端を「前側上端位置」及び「前側下端位置」と称し、後側落下部材１２１の可動ストロークの上端及び下端を「後側上端位置」及び「後側下端位置」と称することにすると、第１可動演出部材１１０は、前側落下部材１１１が前側上端位置に配置され且つ後側落下部材１２１が後側上端位置に配置されたときに通常状態（図４参照）となり、前側落下部材１１１が前側下端位置に配置され且つ後側落下部材１２１が後側下端位置に配置されたときに落下状態（図７参照）となる。
【００４２】
図７に示すように、網体１４１は、複数の糸１４２を格子状に張り巡らせて網地が構成された構造になっていて、四角形状の空洞部である網の目１４３を有している。また、網体１４１は、前側落下部材１１１の後面側で前側落下部材１１１に取り付けられた芯材１５０（図６参照）にロール状に巻き取られる。芯材１５０は、前側落下部材１１１における１対の支持対向壁１１２Ｔ，１１２Ｔの間に回転可能に支持されている。なお、図６では、網体１４１が省略して示されている。
【００４３】
網体１４１の巻き取り方向における芯材１５０と反対側の端部は、後側落下部材１２１に固定されている。そして、網体１４１は、前側落下部材１１１が下方へ移動して後側落下部材１２１から分離したときに、芯材１５０から繰り出されて、表示画面１３Ｇの前方を覆うように広げられる（この状態が、本発明に係る「分離状態」に相当する）。ここで、本実施形態では、芯材１５０の内部に、芯材１５０を巻き取り方向へ回転付勢する回転付勢バネ（図示せず）が備えられていて、前側落下部材１１１が上方へ移動すると、芯材１５０が網体１４１を自動的に巻き取るようになっている。なお、本実施形態では、網体１４１は、天井壁１２１Ｃの上面に固定されて前面壁１２１Ａを前側から覆っている。
【００４４】
次に、第１可動役物装置１１０Ｓの動作について説明する。第１可動役物装置１１０Ｓは、常には、第１可動部材１１０を通常状態に保持し、所定の落下演出条件が成立すると、後側落下部材１２１と前側落下部材１１１を落下させる。具体的には、落下演出条件が成立すると、落下用ストッパ１３９（図６参照）が落下許容位置へ移動し、後側落下部材１２１及び前側落下部材１１１が昇降ガイド１３２に沿って一体に下降する。このとき、後側落下部材１２１は、下降の途中で、昇降ガイド部材１３２に備えられた受止ストッパ１３７にて下方から受け止められて、後側下端位置に位置決めされる。後側落下部材１２１が後側下端位置に位置決めされると、前側落下部材１１１が後側落下部材１２１から分離して下降し、後側落下部材１２１と前側落下部材１１１との間の間隔が広がっていく。
【００４５】
前側落下部材１１１が後側落下部材１２１から分離して下降すると、芯材１５０に巻き取られていた網体１４１が芯材１５０から繰り出されて、後側落下部材１２１と前側落下部材１１１との間に広げられる。そして、前側落下部材１１１が前側下端位置に配置されると、第１可動演出部材１１０が落下状態（図７参照）となる。
【００４６】
第１可動演出部材１１０が落下状態となった後、所定の落下演出終了条件が成立すると、第１可動役物装置１１０Ｓは、昇降用モータ１３４を駆動して前側落下部材１１１を上昇させる。前側落下部材１１１は上昇の途中で後側落下部材１２１を押し上げて後側落下部材１２１と一体に移動し、前側落下部材１１１と後側落下部材１２１とが前側上端位置と後側上端位置とに配置されると、第１可動部材１１０が通常状態（図４参照）へと戻る。このとき、網体１４１は、回転付勢バネ１５８の付勢力によって芯材１５０に巻き取られる。第１可動部材１１０が通常状態になると、落下用ストッパ１３９が落下禁止位置に配置され、昇降用モータ１３４がボールナット（図示せず）をボール螺子１３３の下端寄り位置まで下降させる。第１可動役物装置１１０Ｓの動作に関する説明は以上である。
【００４７】
次に、第２可動役物装置２１０Ｓについて説明する。第２可動役物装置２１０Ｓは、機構枠１７に固定された固定ベース２１１と、固定ベース２１１に回動可能に支持された基端アーム２１２と、基端アーム２１２に回動可能に支持された先端アーム２１３と、を備え、先端アーム２１３に上述の第２可動部材２１０が支持されている。
【００４８】
図１０及び図１９に示すように、固定ベース２１１は、Ｌ字状をなして機構枠１７の上辺部と左辺部とに重ねて固定され、第１可動部材１１０が通常状態のときに、その第１可動部材１１０と昇降ガイド１３２の後側に隠れるように配置される。なお、第１可動部材１１０が落下状態になると、固定ベース２１１は前方から視認可能となる。このため、本実施形態では、固定ベース２１１の前面と機構枠１７の上辺部の前面とには、同様の装飾が施されていて、固定ベース２１１が目立たないようになっている。
【００４９】
基端アーム２１２は、固定ベース２１１の下端部から側方へ片持ち梁状に張り出し、固定ベース２１１の下端部を前後方向に貫通する回転中心軸２１２Ｊを中心に回動する（図１１（Ａ）及び図１１（Ｂ）参照）。具体的には、基端アーム２１２は、固定ベース２１１から下方に直線状に延びて昇降ガイド部材１３２の後側に重ねられた基端アーム初期位置（図９参照）と、固定ベース２１１の下端部から右斜め下方に延びて表示画面１３Ｇの前方に露出した基端アーム作動位置（図１０参照）と、の間を回動する。なお、基端アーム２１２を駆動するための駆動源（図示せず）は固定ベース２１１に備えられている。
【００５０】
先端アーム２１３は、基端アーム２１２の先端部から側方へ片持ち梁状に張り出し、基端アーム２１２の先端部を前後方向に貫通する回転中心軸２１３Ｊを中心に回動する（図１１（Ａ）及び図１１（Ｂ）参照）。詳細には、先端アーム２１３は、基端アーム２１２が基端アーム初期位置付近に配置されているときにのみ回動する。
【００５１】
なお、先端アーム２１３の回動機構は以下のようになっている。即ち、先端アーム２１３の基端部には、図１１（Ａ）に示すように、基端アーム２１２の長手方向に沿って延びた棒状リンク２１４が回動可能に取り付けられていて、この棒状リンク２１４が固定ベース２１１に連結している。棒状リンク２１４は、基端アーム２１２に対して基端アーム２１２の回動半径方向に移動可能となっていて、通常は、基端アーム２１２の回動中心軸２１２Ｊの近傍に配置されている。そして、図１１（Ｂ）に示すように、棒状リンク２１４は、基端アーム２１２が基端アーム初期位置から回動すると、固定ベース２１１に備えた棒状リンクガイド部２１４Ｇに案内されて回動中心軸２１２Ｊから離れる側に移動する。棒状リンク２１４が回動中心軸２１２Ｊから離れる側へ移動すると、その移動に伴って先端アーム２１３が基端アーム２１２に対して回動する。
【００５２】
第２可動部材２１０は、先端アーム２１３の先端部に回転可能に支持されている。具体的には、図９及び図１１（Ａ）に示すように、先端アーム２１３の先端部には、前方から見て円形状をなす円盤部２１３Ａ（本発明の「ベース部」に相当する。）が設けられていて、第２可動部材２１０は、円盤部２１３Ａに前側から重ねられて円盤部２１３Ａの中心軸２１３Ｃ回りに回転する。
【００５３】
図１２（Ａ）及び図１３（Ａ）に示すように、第２可動部材２１０は、外形が縮小された収縮状態（図１２（Ａ）参照）と、外形が拡大された拡張状態（図１３（Ａ）参照）とに変化する。詳細には、第２可動部材２１０は、先端アーム２１３の円盤部２１３Ａに重ねられるベース盤２２１と、ベース盤２２１の前方に配置された可動演出部２２２と、を備えている。ここで、ベース盤２２１の前面は遊技盤１１の前面と平行になっていて、前方から見て可動演出部２２２の外形が縮小されたときに第２可動部材２１０は収縮状態となり、前方から見て可動演出部２２２の外形が拡大されたときに第２可動部材２１０は拡張状態となる（図１２（Ｂ）及び図１３（Ｂ）参照）。以下、第２可動部材２１０の拡縮について説明する。
【００５４】
図１４及び図１５には、第２可動部材２１０の主要部が模式的に示されている。図１４に示されるように、第２可動部材２１０の可動演出部２２２には、ベース盤２２１の中央部に重ねられた中央進退部２２３と、中央進退部２２３の四方を取り囲むように配置された複数の拡縮変形部２３０と、が設けられている。
【００５５】
中央進退部２２３は、ベース盤２２１に対して前後方向（図１４及び図１５の上下方向）に移動して、図１４に示す前進位置と、図１５に示す後退位置とに配置される。具体的には、ベース盤２２１の中央部には、中央進退部２２３から後方に突出した後方シャフト２２３Ｓを直動可能に支持する直動支持筒２２４が形成されていて、後方シャフト２２３Ｓが駆動されて直動支持筒２２４の直動支持孔２２４Ａ内を前進、後退することで、中央進退部２２３が前後方向に移動するようになっている。このように、本実施形態では、中央進退部２２３がベース盤２２１に形成された直動支持筒２２４（詳細には、直動支持孔２２４Ａ）に直動可能に支持されているので、中央進退部２２３の移動の安定化が図られている。なお、図示はしないが、後方シャフト２２３Ｓの駆動源は先端アーム２１３に備えられている。
【００５６】
拡縮変形部２３０は、内側回動部材２３１と外側回動部材２３２とを回動可能に連結した構造になっている。内側回動部材２３１は、直動支持筒２２４の外側でベース盤２２１に回動可能に連結され、その連結部位から直動支持孔２２４Ａの径方向外側に張り出している。そして、内側回動部材２３１は、中央進退部２２３からの動力を受けて回動中心軸２３１Ｊの回りを回動し、ベース盤２２１と略平行になった内側倒伏位置（図１５参照）と、回動中心軸２３１Ｊから離れた側の端部がベース盤２２１から前方に持ち上げられた内側起立位置（図１４参照）とに配置される。
【００５７】
ここで、中央進退部２２３から内側回動部材２３１への動力伝達は、内側回動部材２３１と中央進退部２２３の両方に回動可能に連結された中継部材２３５によって行われる。具体的には、中継部材２３５は、中央進退部２２３の外縁部から後側に突出した連結突部２２３Ｔに一端部が連結され、内側回動部材２３１の張出方向における先端部（即ち、回動中心軸２３１Ｊから離れた側の端部）に他端部が連結されている。そして、中央進退部２２３が前進位置に配置されると、中継部材２３５は、中央進退部２２３の後側に位置して内側回動部材２３１の張出方向の先端部を中央進退部２２３側に引き寄せ、内側回動部材２３１を起立させる（図１４参照）。一方、中央進退部２２３が後端位置に配置されると、中継部材２３５は、中央進退部２２３から側方に突出し、内側回動部材２３１の張出方向の先端部を直動支持孔２２４Ａの径方向外側に押して、内側回動部材２３１を倒伏させる（図１５参照）。
【００５８】
図１４に示すように、外側回動部材２３２は、内側回動部材２３１の張出方向における先端部（即ち、内側回動部材２３１における回動中心２３１Ｊから離れた側の端部）に回動可能に連結され、その連結部位から直動支持孔２２４の径方向外側に張り出している。なお、本実施形態では、内側回動部材２３１における外側回動部材２３２との連結部位は、上述の中継部材２３５との連結部位よりも先端側に配置されている。
【００５９】
図１４及び図１５に示すように、外側回動部材２３２は、内側回動部材２３１の回動に伴って回動中心軸２３２Ｊの回りを回動する。そして、内側回動部材２３１が内側倒伏位置に配置されたときに、外側回動部材２３２は、ベース盤２２１と略平行になった外側倒伏位置に配置され（図１５参照）、内側回動部材２３１が内側起立位置に配置されたときに、外側回動部材２３２は、内側回動部材２３１との連結部位がベース盤２２１に対して前方に持ち上げられた外側起立位置に配置される（図１４参照）。そして、内側回動部材２３１と外側回動部材２３２が内側倒伏位置と外側倒伏位置に配置されたときに、拡縮変形部２３０は、ベース盤２２１と略平行になって中央進退部２２３から側方に張り出す拡張姿勢となり、可動演出部２２２の外形が拡大される（図１３（Ａ）参照）。また、内側回動部材２３１と外側回動部材２３２が内側起立位置と外側起立位置に配置されたときに、拡縮変形部２３０は、張出方向（直動支持孔２２４の径方向）の中間部が前側へ突出するように山状に折れ曲がって中央進退部２２３側へ引き寄せられた収縮姿勢となり、可動演出部２２２の外形が縮小される（図１２（Ａ）参照）。
【００６０】
ここで、本実施形態では、外側回動部材２３２の張出方向の先端部は、直動ガイド２２５によって、ベース盤２２１に沿って直動支持孔２２４Ａの径方向に案内されるようになっていて、これにより、外側回動部材２３２の回動の安定化が図られている。直動ガイド２２５は、ベース盤２２１に形成され、直動支持筒２２４から直動支持孔２２４の径方向外側に延びたガイド溝２２６（図１６（Ａ）参照）と、ガイド溝２２６に沿って直動するスライダ２２７と、を備えていて、このスライダ２２７に、外側回動部材２３２の先端部が回動可能に連結されている。
【００６１】
図１６（Ａ）及ぶ図１６（Ｂ）には、直動ガイド２２５の詳細が示されている。図１６（Ａ）に示すように、ガイド溝２２６は、ベース盤２２１の外縁部を残すようにベース盤２２１の外縁寄り位置まで延びていて、ベース盤２２１の外縁部には、スライダ２２７がガイド溝２２６から外側へ脱落することを防止するためのストッパ部２２８が形成されている。また、図１６（Ｂ）に示すように、ガイド溝２２６の前端開口縁からは、スライダ２２７の幅方向にガイド片２２６Ｈ，２２６Ｈが張り出し、それらガイド片２２６Ｈ，２２６Ｈがスライダ２２７の両側部に形成された係合凹部２２７Ａ，２２７Ａと凹凸係合している。
【００６２】
なお、本実施形態では、第２可動部材２１０が収縮状態になると、中央進退部２２３と複数の外側回動部材２３２とがベース盤２２１から前側に隆起したドーム体２４０を構成するし、複数の内側回動部材２３１と複数の中継部材２３５とがドーム体２４０の内側に収容される。ここで、中央進退部２２３と複数の外側回動部材２３２のうちドーム体２４０の外面を構成する部分には、同様の装飾（本実施形態では、サッカーボールの装飾）が施されていて、ドーム体２４０（中央進退部２２３と複数の外側回動部材２３２）が１つの部材で構成されているかのような印象を遊技者に付与可能となっている。
【００６３】
また、図１４に示すように、中継部材２３５には、中央進退部２２３と同様の装飾が施された隙間装飾部２３５Ａが備えられている。隙間装飾部２３５Ａは、第２可動部材２１０が収縮状態のときには、直動支持孔２２４Ａの径方向外側を向くように配置され（図１４参照）、第２可動部材２１０が拡張状態のときには、前側を向いて中央進退部２２３と内側回動部材２３１との間の隙間を埋めるように配置される（図１５参照）。そして、本実施形態では、中継部材２３５の隙間装飾部２３５Ａによって、第２可動部材２１０が拡張状態となったときに中央進退部２２３と外側回動部材２３２との間に生じる隙間を目立たなくすることが可能になると共に、中央進退部２２３の外形が拡大したかのように見せることが可能となる。
【００６４】
第２可動部材２１０の拡縮に関する説明は以上である。このように、第２可動役物装置２１０Ｓは、第２可動部材２１０を、図９に示す退避位置と図１０に示す演出位置との間で移動させると共に、第２可動部材２１０を先端アーム２１３に対して回転させ、さらに、第２可動部材２１０を、外形が拡大した拡張状態と外形が縮小した収縮状態とに変化させることが可能となっている。
【００６５】
ところで、本実施形態の遊技機１０では、第１可動部材１１０と第２可動部材２１０の両方を駆動する複合役物演出を実行可能となっている。以下、図３及び図１７〜図２０を用いて複合役物演出の流れについて説明する。
【００６６】
複合役物演出では、まず、図３から図１７への変化に示すように、第２可動部材２１０が退避位置から演出位置へ向かって移動する。このとき、第２可動部材２１０は収縮状態のまま移動する。ここで、図１７には、機構枠１７に固定された図示しない直動ガイドに沿って横方向に直動可能な帯状部材２５０が示されている。帯状部材２５０は、第２可動部材２１０の移動に伴って、常に、先端アーム２１３の後側に配置されるように移動し、第２可動部材２１０が後側、即ち、表示画面１３Ｇ側へ移動することを規制する。
【００６７】
図１７から図１８への変化に示すように、第２可動部材２１０が退避位置と演出位置との間の第１中間位置に到達すると第２可動部材２１０は、収縮状態から拡張状態へと変化する。なお、図示はしないが、第２可動部材２１０は、拡張状態になると、先端アーム２１３に対して円盤部２１３Ａの中心軸２１３Ｃ（図１１（Ａ）参照）を中心として回転する。これにより、拡張状態の第２可動部材２１０において、周方向で隣り合う拡縮変形部２３０，２３０同士の間の隙間を目立たなくすることが可能となる。
【００６８】
第２可動部材２１０が拡張状態になると、図１８から図１９への変化に示すように、第１可動部材１１０が通常状態から落下状態へと変化する。なお、第２可動部材２１０は、拡張状態のまま、第１可動部材１１０の前側落下部材１１１と網体１４１の後側を通って演出位置へと移動する（図２２参照）。
【００６９】
ここで、図２１〜図２３に示すように、第２可動部材２１０を支持する先端アーム２１３の円盤部２１３には、後側に突出した後方突部２１５が設けられている。そして、第２可動部材２１０が第１中間位置と演出位置との間の第２中間位置へ到達すると、図２３に示すように、後方突部２１５が、第１可動部材１１０における後側落下部材１２１の後面壁１２１Ｂに下方から当接する。なお、本実施形態では、上述したように、第２可動部材２１０は、帯状部材２５０によって後側への移動が規制されるので、円盤部２１３Ａと後面壁１２１Ｂが前後にずれることが抑えられ、円盤部２１３Ａと後面壁１２１Ｂとを当接させ易くなっている。
【００７０】
具体的には、後方突部２１５は、円盤部２１３Ａの外縁部に設けられていると共に、後方へ向かうにつれて拡径するテーパ部を有している（図２３参照）。また、後側落下部材１２１の後面壁１２１Ｂの下端面は、上方（即ち、演出位置側）へ向かうにつれて後側へ向かうように傾斜した後面壁傾斜面１２１Ｔとなっている。そして、後方突部２１５のテーパ部の側面であるテーパ面２１５Ｔと、後面壁傾斜面１２１Ｔとが、互いに当接する。この構成によれば、円盤部２１３Ａ（後方突部２１５）と後面壁１２１Ｂとが当接したときに、テーパ面２１５Ｔと後面壁傾斜面１２１Ｔによって円盤部２１３Ａを後側に移動させることが可能となるので、先端アーム２１３が移動するときに円盤部２１３Ａと後面壁１２１Ｂの当接が外れることが抑制可能となる。なお、本実施形態では、テーパ面２１５Ｔ及び後面壁傾斜面１２１Ｔが、本発明の「傾斜当接面」に相当する。
【００７１】
図１９から図２０への変化に示すように、第２可動部材２１０が第２中間位置から演出位置へと移動すると、後方突部２１５が後側落下部材１２１を押し上げ（図２４（Ａ）から図２４（Ｂ）への変化を参照）、第２可動部材２１０と後側落下部材１２１とが一体になって移動する。このとき、後側落下部材１２１が後側下端位置（図７及び図２４（Ａ）参照）から後側上端位置（図４及び図２４（Ｂ）参照）まで移動する一方、前側落下部材１１１は前側下端位置（図７参照）に配置されたままとなり、網体１４１が前側落下部材１１１に対して上方に引っ張られる。
【００７２】
また、第２可動部材２１０が演出位置から退避位置へ移動するときは、第２中間位置より演出位置側では、重力で下方へ付勢された後側落下部材１２１が第２可動部材２１０と一体に移動する。第２中間位置より退避位置側では、第２可動部材２１０が後側落下部材１２１から分離して移動する。
【００７３】
なお、本実施形態では、所定の演出条件が成立すると、第２可動部材２１０が、演出位置と第２中間位置との間を往復動する演出が行われ、このとき後側落下部材１２１及び網体１４１も、第２可動部材２１０と一体になって後側上端位置と後側下端位置との間を往復動する（図２４（Ａ）の状態と図２４（Ｂ）の状態との間を往復動する）ので、遊技者に驚きを与えることが可能となり、趣向性を向上させることが可能となっている。
【００７４】
第２可動部材２１０が演出位置に到達した後、所定の複合役物演出終了条件が成立すると、複合役物演出が終了する。複合役物演出が終了すると、第１可動役物装置１１０Ｓ及び第２可動役物装置２１０Ｓは、上述した動作と反対の動作を行い、第１可動部材１１０を通常状態にすると共に、第２可動部材２１０を退避位置に配置する。
【００７５】
なお、本実施形態では、図２１に示すように、収縮状態における第２可動部材２１０と前側落下部材１１１とは、前後方向で一部重なるように配置されている。このため、第２可動部材２１０が収縮状態のときに第１可動部材１１０が落下状態へ変化すると、第２可動部材２１０と前側落下部材１１１とが衝突することになる。しかしながら、本実施形態の遊技機１０では、第２可動部材２１０は、前側落下部材１１１に後側から重ねられるときには、拡張状態となっているので、前側落下部材１１１との衝突を避けることが可能となっている。別の見方をすれば、本実施形態の遊技機１０では、第２可動部材２１０は、拡張状態のときに、前側落下部材１１１の後側に重ねられる構成となっているので、第２可動部材２１０と前側落下部材１１１との前後方向の嵩張りを抑えることが可能となり、限られたスペースに第２可動部材２１０及び第１可動部材１１０を配置することが可能となっている。
【００７６】
本実施形態の遊技機１０の構成に関する説明は以上である。なお、本実施形態では、第２可動部材２１０及び先端アーム２１３が本発明の「主動部材」に相当し、退避位置が本発明の「第２主動位置」に、演出位置が本発明の「第１主動位置」にそれぞれ相当する。また、第１可動部材１１０が分離状態ときの後側落下部材１２１及び網体１４１が本発明の「従動部材」に相当し、後側上端位置、後側下端位置が、それぞれ本発明の「第１従動位置」、「第２従動位置」に相当する。また、第１可動部材１１０が分離状態のときの網体１４１が、本発明の「前側重なり部」に相当する。
【００７７】
次に、本実施形態の遊技機１０の作用効果について説明する。本発明では、第２可動部材２１０が退避位置から演出位置へ移動する場合、退避位置と演出位置の間の第２中間位置で円盤部２１３Ａと第１可動部材１１０の後面壁１２１Ｂとが当接し、第２中間位置より演出位置側で、第２可動部材２１０が第１可動部材１１０と一体に移動する。一方、第２可動部材２１０が演出位置から退避位置へ移動する場合、第２中間位置より演出位置側では、重力で付勢された第１可動部材１１０が第２可動部材２１０と一体に移動し、第２中間位置より退避位置側では、第２可動部材２１０が第１可動部材１１０から分離して移動する。このように、本発明によれば、第２可動部材２１０と第１可動部材１１０が一体となるだけでなく、それら２つの部材が一体となった状態で移動するので、２つの部材が一体となるだけの従来の遊技機と比較して、一体となる２つの部材の趣向性を向上させることが可能となる。しかも、本実施形態では、第１可動部材１１０に、第２中間位置に配置された第２可動部材２１０を前側から視認可能に覆う網体１４１が備えられていると共に、第１可動部材１１０と当接する円盤部２１３Ａの全体が第２可動部材２１０にて前側から覆われているので、第２可動部材２１０と第１可動部材１１０が一体になって移動する様子を遊技者に視認容易としつつ、それら２つの部材の当接部分を目立ち難くすることが可能となる。
【００７８】
また、本実施形態によれば、円盤部２１３Ａと第１可動部材１１０とが互いに当接する第２中間位置において、第２可動部材２１０が、円盤部２１３Ａの前側で第１可動部材１１０と接触せずに回転可能なので、円盤部２１３Ａと第１可動部材１１０の当接部分に影響を与えることなく、第２可動部材２１０の動作の趣向性を向上させることが可能となる。
【００７９】
さらに、本実施形態では、第２可動部材２１０が退避位置から演出位置へ移動すると、分離状態となった第１可動部材１１０の後側落下部材１２１と先端アーム２１３の円盤部２１３Ａとが当接し、第２可動部材２１０と後側落下部材１２１とが一体になって移動する。このとき、前側落下部材１１１と後側落下部材１２１とを連絡する網体１４１が後側上端位置側へ引き伸ばされる。本発明の構成によれば、第２可動部材２１０の動きによって網体１４１及び後側落下部材１２１が前側落下部材１１１に対して後側上端位置側に引っ張られるような印象を遊技者に付与することが可能となり、第２可動部材２１０と第１可動部材１１０の動作について趣向性の向上を図ることが可能となる。
【００８０】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００８１】
（１）上記実施形態では、本発明の「従動部材」を付勢する付勢手段が、重力であったが、ばねやゴム等の弾性体であってもよいし、磁石であってもよい。 また、このように弾性体や磁石を従動部材の付勢手段として用いた場合、本発明の主動部材と従動部材の移動方向が、左右方向であってもよい。
【００８２】
（２）上記実施形態では、帯状部材２５０が移動する構成であったが、固定された構成であってもよい。また、上記実施形態では、本発明の「後方移動規制部材」が、帯状であったが、板状であってもよい。
【００８３】
（３）上記実施形態では、円盤部２１３Ａに後方突部２１５が形成された構成であったが、図２５に示すように、円盤部２１３Ａに後方突部２１５が形成されていない構成であってもよい。この構成では、後側落下部材１２１の後面壁１２１Ｗは、円盤部２１３Ａの外周面と当接する。
【符号の説明】
【００８４】
１０    遊技機
１１    遊技盤
１１０    第１可動部材（可動部材）
１１１    前側落下部材（前側可動部）
１２１    後側落下部材（後側可動部、従動部材）
１２１Ｂ    後面壁（後側当接部、従動当接部）
１４１    網体（連絡部材、前側重なり部、従動部材）
２１０    第２可動部材（装飾部、主動部材）
２１３    先端アーム（主動部材）
２１３Ａ    円盤部（ベース部、主動部材）
２１５    後方突部
２５０    帯状部材（後方移動規制部材）
【要約】      （修正有）【課題】一体となる２つの部材の趣向性を向上させることが可能な遊技機を提供する。【解決手段】遊技機では、第２可動部材２１０が退避位置から演出位置へ移動する場合、退避位置と演出位置の間の第２中間位置で円盤部２１３Ａと第１可動部材１１０の後面壁１２１Ｂとが当接し、第２中間位置より演出位置側で、第２可動部材２１０が第１可動部材１１０と一体に移動する。一方、第２可動部材２１０が演出位置から退避位置へ移動する場合、第２中間位置より演出位置側では、重力で付勢された第１可動部材１１０が第２可動部材２１０と一体に移動し、第２中間位置より退避位置側では、第２可動部材２１０が第１可動部材１１０から分離して移動する。【選択図】図２３【図１】
0006043912.tif 000002
【図２】
0006043912.tif 000003
【図３】
0006043912.tif 000004
【図４】
0006043912.tif 000005
【図５】
0006043912.tif 000006
【図６】
0006043912.tif 000007
【図７】
0006043912.tif 000008
【図８】
0006043912.tif 000009
【図９】
0006043912.tif 000010
【図１０】
0006043912.tif 000011
【図１１】
0006043912.tif 000012
【図１２】
0006043912.tif 000013
【図１３】
0006043912.tif 000014
【図１４】
0006043912.tif 000015
【図１５】
0006043912.tif 000016
【図１６】
0006043912.tif 000017
【図１７】
0006043912.tif 000018
【図１８】
0006043912.tif 000019
【図１９】
0006043912.tif 000020
【図２０】
0006043912.tif 000021
【図２１】
0006043912.tif 000022
【図２２】
0006043912.tif 000023
【図２３】
0006043912.tif 000024
【図２４】
0006043912.tif 000025
【図２５】
0006043912.tif 000026